(57)【特許請求の範囲】
【請求項１】
後端部が地表面側に先端部が地面内部に埋設される集排水パイプと、
該集排水パイプの先端部に設けられグラウト材が注入されて定着部となる袋体と、
前記集排水パイプと前記袋体との境目に配設されてグラウト材の前記集排水パイプ内部への侵入を阻止する仕切り部材と、
前記集排水パイプの先端部に定着部を形成するためにグラウト材を注入するグラウト注入パイプと、
前記集排水パイプの内部に配設され該パイプの先端部側に形成される定着部に先端部が配設される引張材とを有してなり、
前記グラウト注入パイプは、袋体を貫通して削孔の奥にパイプの先端部が至り、前記袋体を貫通する部分の途中に袋体用注入孔が別に設けられていて、
定着部内において袋体の先に集排水パイプの先端部が配設され、グラウト注入パイプが当該集排水パイプの先端部の外側に配設され、引張材の先端部が当該集排水パイプの先端部の内部に配設されるとともに、この集排水パイプの先端部と当該引張材との間隙に硬化材が充填されていること、
を特徴とする抑止機能付集排水パイプ。
【請求項２】
集排水パイプの後端部に、グラウト材が充填されて受圧板の代わりとなる袋体が設けられていること、
を特徴とする請求項１に記載の抑止機能付集排水パイプ。
【発明の詳細な説明】
【技術分野】
【０００１】
本発明は、盛土や擁壁等の地滑り防止対策や、軟弱地盤の圧密促進若しくは宅地造成における軟弱地盤改良等に使用される、アンカー機能と集排水機能とを併せ持つ抑止機能付集排水パイプに関するものである。
【背景技術】
【０００２】
従来、地山や法面若しくは擁壁の崩落を防止するアンカー機能に、排水機能を併せ持つようにしたものが知られている（特許文献１参照）。これは、例えば、透水性外管内に間隙を介して不透水性内管を設け、該内管と上記間隙との連通部を有し、同連通部に上記外管と上記内管との集水継手を設けてなる多重管を、地山不安定部の地表面から地山安定部に向かって仰角に埋設したものである。
【特許文献１】特開平０６−８８３３５号公報
【発明の開示】
【発明が解決しようとする課題】
【０００３】
しかし、従来の抑止機能付集排水パイプでは、多重管でなりそのアンカー機能は専用のアンカー材があるわけではないので、大きな支持強度が発揮されるものではない。また、部品点数が多く、それを必要長さに順次組立ながら現地で削孔に埋設するので、必ずしも効率的な作業とはいえないという課題がある。
本発明に係る抑止機能付集排水パイプは、このような課題を解決するために提案されたものである。
【課題を解決するための手段】
【０００４】
本発明に係る抑止機能付集排水パイプの上記課題を解決して目的を達成するための要旨は、後端部が地表面側に先端部が地面内部に埋設される集排水パイプと、該集排水パイプの先端部に設けられグラウト材が注入されて定着部となる袋体と、前記集排水パイプと前記袋体との境目に配設されてグラウト材の前記集排水パイプ内部への侵入を阻止する仕切り部材と、前記集排水パイプの先端部に定着部を形成するためにグラウト材を注入するグラウト注入パイプと、
前記集排水パイプの内部に配設され該パイプの先端部側に形成される定着部に先端部が配設される引張材とを有してなり、前記グラウト注入パイプは、袋体を貫通して削孔の奥にパイプの先端部が至り、前記袋体を貫通する部分の途中に袋体用注入孔が別に設けられていて、定着部内において袋体の先に集排水パイプの先端部が配設され、グラウト注入パイプが当該集排水パイプの先端部の外側に配設され、引張材の先端部が当該集排水パイプの先端部の内部に配設されるとともに、この集排水パイプの先端部と当該引張材との間隙に硬化材が充填されていることである。
【０００５】
前記集排水パイプの後端部に、グラウト材が充填されて受圧板の代わりとなる袋体が設けられていることを含むものである。
【発明の効果】
【０００６】
本発明の抑止機能付集排水パイプによれば、地山の排水機能とアンカー機能とが発揮されるとともに、グラウト材の注入によって定着部を形成するので、施工が容易であり工数低減となる。また、定着部の袋体がグラウト材によって膨張し削孔の内壁に密着して、安定した定着部となる。
また、定着部を、削孔の空間部に直接に、グラウト材を注入して固化させることで形成し、定着部の付着強度を強化することもできる。この定着部をグラウト材で形成する際に、予め集排水パイプに硬化材を充填したものを球根部に挿入してグラウト材を注入すれば、グラウト材の使用量を軽減できて、工期も短縮されコスト低減となる。
また、抑止機能付集排水パイプの地表面側の後端部に袋体を設けることで、不安定部分を両端の袋体で挟み、地山の安定に寄与する。
【発明を実施するための最良の形態】
【０００７】
本発明に係る抑止機能付集排水パイプ１は、図１に示すように、後端部２ａが地表面側に先端部２ｂが地面内部に埋設される集排水パイプ２と、該集排水パイプ２の先端部２ｂに設けられる袋体３と、前記集排水パイプ２と前記袋体３との境目に配設されてグラウト材の前記集排水パイプ内部への侵入を阻止する仕切り部材４と、前記集排水パイプ２の先端部２ｂに定着部５を形成するためにグラウト材を注入するグラウト注入パイプ６と、前記集排水パイプ２の内部に配設され該パイプ２の先端部２ｂ側に形成される定着部５に先端部７ａが配設させる引張材７と、を有してなる。
【０００８】
前記グラウト注入パイプ６は、集排水パイプ２の内部に配設されるとともに前記仕切り部材４を貫通して前記袋体３内部にその先端部６ａが到達するようにして配設されている。また、前記引張材７は、例えばＰＣ鋼より線でなるストランドを合成樹脂製の外覆をアンボンドタイプにして被覆してなるものであり、左右２カ所に配設され、定着板８に所望の緊張力を付加されてウエッジ９で、クサビ式でそれぞれ定着されている。
【０００９】
前記引張材７の定着には、図２に示すように、引張材７の後端部７ａに固着されている、外周部にネジ溝を刻設してなるマンション（金属製定着具）に裸着させるナット１０で定着させるネジ式の場合もある。
【００１０】
前記定着板８には、所用厚さの四角形板であり、前記集排水パイプ２で集めた水を外に排水するための排水孔８ａが設けられている。
【００１１】
前記集排水パイプ２は、例えば、ポリエチレン製（ＰＥ製）等の合成樹脂製の筒体であり、その周囲には地盤等の水をパイプ内部に集水するための孔が任意に設けられている。また、その直径は略４０ｍｍ〜９０ｍｍ程度である。また、全体の長さは、地盤の定着部分に到達させて、更に５ｍ乃至１０ｍ程度挿入できるようにするので、設置場所に応じて適宜長さにする必要がある。
【００１２】
その場合には、図３乃至図４に示すように、一定長さの集排水パイプ２に対して、中間接続具２ｃが用いられる。図４（Ｂ）に示すように、この中間接続具２ｃの内部に、前記グラウト注入パイプ６と引張材７とを挿通させて固定する挿通部２ｄ，２ｅが、金型で一体に成型されて設けられる。集排水パイプ２の内部で下側には水が集水されて流下するのでその流下面積を確保すべく、前記挿通部２ｄ，２ｅによって前記注入パイプ６と引張材７とを、中間部若しくは上部に配設する。
【００１３】
なお、前記挿通部２ｄ，２ｅを集排水パイプ２と一体成形することに限らず、同図４（Ｂ）の空間部の形状を外形とするスペーサ１１として、これを中間接続具２ｃ内部に固定して、前記挿通部２ｄ，２ｅを形成することもできる。
【００１４】
また、図１（Ａ）に示すように、引張材７の先端部７ｂは、端部治具１２により引張材７と袋体３とを結束具１３で結束されて、固定されている。
【００１５】
このような本発明に係る抑止機能付集排水パイプ１は、例えば、図５に示すように、切土法面や盛土に使用することで、引張材に緊張録を付与することで、切土法面や盛土に軽い拘束を与え、更に地下水位が高い盛土において地震時の液状化防止のための排水機能を付与するものである。
【００１６】
また、図６に示すように、地滑り地を対象にして、地滑り地の横ボーリング工に使用する集水パイプに、アンカー機能を付加するようにすることができる。グラウンドアンカー１４とともに作用してアンカー機能の強化および補助となる。
【００１７】
その他、一般的な地盤圧密工法を示す図７（Ａ）に代わって、同図７（Ｂ）に示すように、集排水パイプ１を軟弱地盤１５に垂直に打ち込み、受圧板を設けて引張材７に緊張力を付与して、圧密沈下を促進させるようにするものである。なお、この場合には、集排水パイプ２の内部に集水された水を地表面に吸い上げる装置（例えば、ポンプ等）が必要となる。
【００１８】
また、アンカー機能があるので、図８（Ａ），（Ｂ）に示すように、マンホールや石油タンクのような地盤に埋設してあるものの浮き上がりを抑止することができる。更に、その集配水機能により、地盤の液状化の防止にも作用する。同図８（Ａ）は、集排水パイプ２で集めた水を、マンホール１６内に排水する場合と、同図８（Ｂ）は、前記水を地上にくみ上げて排水する場合とを示している。このほか、橋脚，浄水槽，風力発電の基礎などにも適用できる。
【００１９】
また、この抑止機能付集排水パイプ１の施工には、例えば、盛土の法面などに仰角（約５°程度）でする場合、ボーリング機で削孔して、孔先端部に拡径した球根部Ａを作る。そして、本発明に係る抑止機能付集排水パイプ１を、袋体３のある先端側から削孔内に差し込み、長さに応じて中間接続具２ｃを介在させて連接し、引張材７及びグラウト注入パイプ６も固定させながら差し込んでいく。
【００２０】
前記グラウト注入パイプ６で、グラウト材をグラウト注入装置で注入する。これにより、袋体３がグラウト材により膨張し、地盤の球根部Ａに充填された状態になる。グラウト材は仕切り部材４により、定着部５から自由長部の集排水パイプ２内部に侵入することはない。
【００２１】
そして、前記グラウト材が硬化して袋体３による定着部５が形成された後に、地表面側の法面で、コンクリート製の受圧板などに定着板８を設置して、クサビ式（図１）若しくはネジ式（図２）により、ジャッキで引張材７に緊張力を付与して定着させる。このようにして、本発明に係る抑止機能付集排水パイプ１が補強用のアンカー体として、且つ、地山の集排水パイプとして機能するものである。
【００２２】
本発明の他の実施例に係る抑止機能付集排水パイプ１ａとしては、図９に示すように、定着部５の構造に係るもので、削孔の先端部の球根部Ａに直接的にグラウト材を注入して、地盤等にグラウト材が密着した球根部Ａを形成するようにしたものである。
【００２３】
集排水パイプ２の先端部の仕切り部材４を境にして、その先にグラウト注入パイプ６の先端部６ａを地盤の球根部Ａ内に直接突出させ、引張材７の先端部７ｂも同様に球根部Ａ内に突出させる。前記仕切り部材４においては、長さの短くしてある袋体３を取り付け、結束具１３でグラウト材が自由長部の集排水パイプ２側に侵入しないように構成している。
【００２４】
また、前記グラウト注入パイプ６は、前記袋体３を貫通して削孔の奥にパイプの先端部６ａが至るとともに、前記袋体３を貫通する部分の途中に袋体用注入孔６ｂが別に設けられている。これにより、前記パイプ６で球根部Ａにグラウト材を注入すると、同時に、前記袋体３にもグラウト材が注入され、当該袋体３が膨張して削孔内に充填される。
【００２５】
これにより、球根部Ａのグラウト材が削孔内から地表側へ漏出するのを防止する。更に、この球根部Ａを加圧して地山に押しつける効果もある。また、仕切り部材４における図中の右側の結束具１３により、球根部Ａに注入されたグラウト材が、自由長部の集排水パイプ２内への侵入が防止される。
【００２６】
前記集排水パイプ１ａにより、球根部Ａがグラウト材で地盤内に密実に形成され、定着部として強固なものとなる。
【００２７】
本発明の他の実施例に係る抑止機能付集排水パイプ１ｂは、図１０に示すように、定着部５内において袋体３の先に集排水パイプ２の先端部が配設され、グラウト注入パイプ６が当該集排水パイプ２の先端部の外側に配設され、引張材７の先端部７ｂが当該集排水パイプ２の先端部の内部に配設されるとともに、この集排水パイプ２の先端部と当該引張材７との間隙に、例えば、合成樹脂による硬化材１７が充填されてなるものである。
【００２８】
前記定着部５における集排水パイプ２の先端部には、筒状の終端パイプ１８が設けられている。このように、集排水パイプ１ｂの先端部を予め定着部として形成しておくことで、削孔に挿入した後に、球根部Ａに注入するグラウト材は少なくて済む。よって地山にこの抑止機能付集排水パイプ１ｂを設置する工期を短縮させることができる。更に、定着部５としての強度も向上する。
【００２９】
本発明の他の実施例に係る抑止機能付集排水パイプ１ｃは、図１１に示すように、集排水パイプ１ｃの後端部２ａの側において、袋体３ａが設けられているものである。この袋体３ａにグラウト材を充填させることで、抑止機能付集排水パイプ１ｃの両端で定着されて、受圧板の代わりとなって盛土等の不安定部の緩みを抑止することができる。
【図面の簡単な説明】
【００３０】
【図１】本発明に係る抑止機能付集排水パイプ１の正面図（Ａ）と、側面図（Ｂ）と、Ｘ−Ｘ線に沿った断面図（Ｃ）である。
【図２】同引張材７の地表側の定着部材が、ネジ式である場合の一部半断面図（Ａ）と、その側面図（Ｂ）とである。
【図３】同本発明の抑止機能付集排水パイプ１において、集排水パイプ２に中間接続具２ｃで長さを延長する様子を示す半断面図である。
【図４】中間接続具２ｃの判断面図（Ａ）と、Ｙ−Ｙ線に沿った断面図（Ｂ）である。
【図５】本発明に係る抑止機能付集排水パイプ１の使用例の説明図である。
【図６】同本発明に係る抑止機能付集排水パイプ１の使用例の説明図である。
【図７】従来の盛土とサンドパイルによる軟弱地盤の改良工法を示す説明図（Ａ）と、本発明の抑止機能付集排水パイプ１を使用した改良工法を示す説明図（Ｂ）とである。
【図８】本発明の抑止機能付集排水パイプ１をマンホールの浮き上がり防止に使用した例の説明図（Ａ），（Ｂ）である。
【図９】他の実施例に係る抑止機能付集排水パイプ１ａの半断面図（Ａ）と、側面図（Ｂ）とである。
【図１０】同他の実施例に係る抑止機能付集排水パイプ１ｂの半断面図（Ａ）と、側面図（Ｂ）とである。
【図１１】同  他の実施例に係る抑止機能付集排水パイプ１ｃの半断面図（Ａ）と、側面図（Ｂ）とである。
【符号の説明】
【００３１】
１，１ａ，１ｂ，１ｃ          抑止機能付集排水パイプ、
２                            集排水パイプ、
２ａ                          後端部、
２ｂ                          先端部、
２ｃ                          中間接続具、
２ｄ，２ｅ                    挿通部、
３，３ａ                      袋体、
４                            仕切り部材、
５                            定着部、
６                            グラウト注入パイプ、
６ａ                          先端部、
６ｂ                          袋体用注入孔、
７                            引張材、 
７ａ                          後端部、
７ｂ                          先端部、
８                            定着板、
８ａ                          排水孔、
９                            ウエッジ、
１０                          ナット、
１１                          スペーサ、
１２                          端部治具、
１３                          結束具、
１４                          グラウンドアンカー、
１５                          軟弱地盤、
１６                          マンホール、
１７                          硬化材、
１８                          終端パイプ。
【図１】
0004705468.tif 000002
【図２】
0004705468.tif 000003
【図３】
0004705468.tif 000004
【図４】
0004705468.tif 000005
【図５】
0004705468.tif 000006
【図６】
0004705468.tif 000007
【図７】
0004705468.tif 000008
【図８】
0004705468.tif 000009
【図９】
0004705468.tif 000010
【図１０】
0004705468.tif 000011
【図１１】
0004705468.tif 000012